(57)【要約】【課題】対象者の睡眠状態にもとづく睡眠に関わる情報に応じて所定の特典を付与する。【解決手段】対象者側に備えられる端末装置４と、端末装置４と通信可能に接続されたサーバ装置５とを備え、端末装置４が、対象者の生体信号を検出する生体信号検出手段（被作用体２及び圧力検知部３）と、生体信号から対象者の睡眠状態を判断する睡眠状態判断手段と、睡眠状態に応じた睡眠に関する数的情報を算出する数的情報算出手段と、数的情報をサーバ装置５に送信する数的情報送信手段と、を備え、サーバ装置５が、数的情報に応じて対象者に所定の特典情報を生成する特典付与手段と、特典付与手段によって生成された特典情報を端末装置４に送信する特典報知手段と、を備え、所定の特典情報が、電子価値データである構成としてある。【選択図】図１
2014052834.tif 000002
【特許請求の範囲】
【請求項１】
対象者側に備えられる端末装置と、当該端末装置と通信可能に接続されたサーバ装置とを備え、
前記端末装置が、
対象者の生体信号を検出する生体信号検出手段と、
前記生体信号から前記対象者の睡眠状態を判断する睡眠状態判断手段と、
前記睡眠状態に応じた睡眠に関する数的情報を算出する数的情報算出手段と、
前記数的情報を前記サーバ装置に送信する数的情報送信手段と、を備え、
前記サーバ装置が、
前記数的情報に応じて、前記対象者に所定の特典情報を生成する特典付与手段と、
前記特典付与手段によって生成された前記特典情報を前記端末装置に送信する特典報知手段と、を備え、
前記所定の特典情報が、電子価値データであることを特徴とする睡眠特典付与システム。
【請求項２】
前記数的情報が、
前記睡眠状態判断手段において前記対象者が睡眠するための姿勢をとった状態と判断されたときの時刻から、前記睡眠状態判断手段において前記対象者が睡眠に移行した状態と判断されたときの時刻までの経過時間である
ことを特徴とする請求項１記載の睡眠特典付与システム。
【請求項３】
前記数的情報が、
前記対象者が睡眠に移行した後に覚醒状態が所定時間続いた回数を示す途中覚醒回数と、前記対象者が睡眠に移行するまでの経過時間を示す寝付き時間と、前記対象者が睡眠に移行した後の所定時間内における深い睡眠状態の時間を示す深睡眠時間と、寝返り回数と、前記対象者が睡眠姿勢をとっている時間に対して睡眠している時間の割合を示す睡眠効率と、の要素のうち、少なくとも一以上の組み合わせからなる睡眠の質を示す情報である
ことを特徴とする請求項１又は２記載の睡眠特典付与システム。
【請求項４】
前記特典報知手段が、
前記特典情報を電子メールにより前記対象者に知らせるとともに、当該対象者に知らせるタイミングが、前記対象者が睡眠に移行したときから所定時間前である
ことを特徴とする請求項１〜３のいずれか一項記載の睡眠特典付与システム。
【請求項５】
所定の通信手段を介して、
対象者の生体信号を検出する生体信号検出手段と、前記生体信号から前記対象者の睡眠状態を判断する睡眠状態判断手段と、前記睡眠状態に応じた睡眠に関する数的情報を算出する数的情報算出手段と、を備える端末装置から前記数的情報を受信し、
前記数的情報に応じて、前記対象者に所定の特典情報を生成する特典付与手段と、
前記特典付与手段によって生成された前記特典情報を前記端末装置に送信する特典報知手段と、
を備えることを特徴とする睡眠特典付与サーバ装置。
【請求項６】
生体信号検出手段に、対象者の生体信号を検出する手順を実行させ、
睡眠状態判断手段に、前記生体信号から前記対象者の睡眠状態を判断する手順を実行させ、
数的情報算出手段に、前記睡眠状態に応じた睡眠に関する数的情報を算出する手順を実行させ、
数的情報送信手段に、前記数的情報を、当該数的情報に応じて前記対象者に電子価値データからなる所定の特典情報を生成する外部装置に送信する手順を実行させる
ための睡眠特典付与プログラム。
【請求項７】
外部装置から送信された、対象者の睡眠状態に応じた睡眠に関する数的情報を受信すると、
特典付与手段に、前記数的情報に応じて、前記対象者に電子価値データからなる所定の特典情報を生成する手順を実行させ、
特典報知手段に、電子価値データからなる前記所定の特典情報を前記外部装置に送信する手順を実行させる
ための睡眠特典付与プログラム。
【請求項８】
対象者側に備えられる端末装置と、当該端末装置と通信可能に接続されたサーバ装置とを備えるシステムにおいて、
前記端末装置を構成するコンピュータを、
対象者の生体信号を検出する生体信号検出手段、
前記生体信号から前記対象者の睡眠状態を判断する睡眠状態判断手段、
前記睡眠状態に応じた睡眠に関する数的情報を算出する数的情報算出手段、
前記数的情報を前記サーバ装置に送信する数的情報送信手段、として機能させるとともに、
前記サーバ装置を構成するコンピュータを、
前記数的情報に応じて、前記対象者に電子価値データからなる所定の特典情報を生成する特典付与手段、
電子価値データからなる前記所定の特典情報を前記端末装置に送信する特典報知手段、として機能させる
ための睡眠特典付与プログラム。
【発明の詳細な説明】
【技術分野】
【０００１】
本発明は、睡眠特典付与システム、睡眠特典付与サーバ装置及び睡眠特典付与プログラムに関し、特に、対象者の睡眠状態にもとづく睡眠に関わる情報に応じて所定の特典を付与する睡眠特典付与システム、睡眠特典付与サーバ装置及び睡眠特典付与プログラムに関する。
【背景技術】
【０００２】
一般に、健康管理などを目的として、睡眠時における呼吸、心拍、体動などの生体情報を検出し、対象者の睡眠状態を取得することが行われている。
この種の方法として、人体にセンサなどを装着せずに、非侵襲、無拘束な状態で生体情報を取得する方法が用いられている。例えば、対象者の体の下に感圧部（圧力センサ）を配置し、対象者の呼吸や体動によって感圧部の内圧が変化することで、この圧力変動を信号に変換し、この生体信号にもとづいて対象者の睡眠状態を取得するものがある。
【０００３】
このような睡眠状態を利用した技術として、例えば、特許文献１に開示されているような「音楽配信システム」や、特許文献２に開示されているような「睡眠評価装置」が提案されている。
特許文献１に記載の音楽配信システムでは、ユーザが音楽配信を行っている際に、配信を停止せずに眠ってしまった場合でも、ユーザの睡眠状態（睡眠に移行した状態）を検出して、自動的に音楽配信を停止するものである。これにより、ユーザが眠っている間の無駄な音楽配信を省き、音楽配信にかかる費用や電力のコストを節約することができる。
また、特許文献２に記載の睡眠評価装置では、生体信号を検出して、睡眠の状態を判定し、各状態において睡眠点数を算出することで睡眠の質を評価するようになっている。
【先行技術文献】
【特許文献】
【０００４】
【特許文献１】特開２０１１−１４１４９２号公報
【特許文献２】特開２００８−３０１９５１号公報
【発明の概要】
【発明が解決しようとする課題】
【０００５】
しかしながら、特許文献１に記載の技術では、ユーザの睡眠状態を検出して、音楽の配信を停止するに過ぎず、ユーザの睡眠状態から睡眠に関わる情報を算出し、この情報に応じて特典を付与することまでは考慮されていなかった。
また、特許文献２に記載の技術では、睡眠の質の評価を行うことはできるが、睡眠の質に応じて特典を付与することまでは考慮されていなかった。
【０００６】
本発明は、上記のような従来の技術が有する問題を解決するために提案されたものであり、対象者の睡眠状態にもとづく睡眠に関わる数的な情報に応じて所定の特典を付与することを目的とする。
【課題を解決するための手段】
【０００７】
上記目的を達成するため、本発明の睡眠特典付与システムは、対象者側に備えられる端末装置と、端末装置と通信可能に接続されたサーバ装置とを備え、端末装置が、対象者の生体信号を検出する生体信号検出手段と、生体信号から対象者の睡眠状態を判断する睡眠状態判断手段と、睡眠状態に応じた睡眠に関する数的情報を算出する数的情報算出手段と、数的情報をサーバ装置に送信する数的情報送信手段と、を備え、サーバ装置が、数的情報に応じて対象者に所定の特典情報を生成する特典付与手段と、特典付与手段によって生成された特典情報を端末装置に送信する特典報知手段と、を備え、所定の特典情報が、電子価値データである構成としてある。
【発明の効果】
【０００８】
本発明によれば、対象者の睡眠状態にもとづく睡眠に関する数的情報に応じて所定の特典を付与することができる。
【図面の簡単な説明】
【０００９】
【図１】本発明の第一実施形態に係る睡眠特典付与システムの構成を示す概略図である。
【図２】本発明の第一実施形態に係る睡眠特典付与システムを構成する端末装置の構成を示すブロック図である。
【図３】本発明の第一実施形態に係る睡眠特典付与システムを構成するサーバ装置の構成を示すブロック図である。
【図４】本発明の第一実施形態に係る睡眠特典付与システムにおける睡眠ランキング作成処理を示すフローチャートである。
【図５】本発明の第一実施形態に係る睡眠特典付与システムにおける睡眠ランキング閲覧処理を示すフローチャートである。
【図６】入眠時間に関する睡眠ランキング表示画面の一例を示す図である。
【図７】本発明の第一実施形態の変形例における睡眠ランキング作成処理を示すフローチャートである。
【図８】本発明の第一実施形態の変形例における睡眠ランキング閲覧処理を示すフローチャートである。
【図９】睡眠の質に関する睡眠ランキング表示画面の一例を示す図である。
【図１０】本発明の第二実施形態に係る睡眠特典付与システムにおける特典付与処理を示すフローチャートである。
【図１１】本発明の第二実施形態に係る睡眠特典付与システムにおける特典付与処理の他の例を示すフローチャートである。
【図１２】睡眠ランキング表示画面の一例を示す図である。
【発明を実施するための形態】
【００１０】
以下、本発明に係る睡眠特典付与システム、睡眠特典付与サーバ装置及び睡眠特典付与プログラムの好ましい実施形態について図面を参照して説明する。
［第一実施形態］
本発明の第一実施形態について、図１〜図９を参照して説明する。
【００１１】
［睡眠特典付与システム］
まず、本実施形態の睡眠特典付与システムの構成について、図１を参照して説明する。図１は、本実施形態の睡眠特典付与システムの構成を示す概略図である。
図１に示すように、睡眠特典付与システム１は、横たわった状態にある対象者とベッドなどの寝具との間に配置され、対象者からの外的な作用を受けて内圧が変動する被作用体２と、被作用体２の圧力の変動を検知する圧力検知部３と、圧力検知部３から出力される生体信号を入力する端末装置４と、端末装置４とインターネットを介して通信可能に接続されるサーバ装置５によって構成されている。
【００１２】
被作用体２は、例えば、二枚の帯状のフィルムの周縁を熱融着、接着等により接合し、袋状に形成したものであり、内部に充填された流体、例えば、空気を漏出不能な気密性を備えている。
フィルムは、例えば、塩化ビニル、ゴム等からなり、自らの形状を保持可能な弾性と、対象者からの外的な作用に対する内圧変動に耐え得る強度（耐圧性）を備えている。
また、被作用体２は、正面視においては対象者からの外的作用を受けやすいよう、多くの接触面積を得るために、帯状（長さ約８５０ｍｍ×幅約４０ｍｍ）に形成されるものの、側面視においては対象者に異物感（違和感）を与えないように扁平（最大厚約１０ｍｍ）に形成されている。
また、圧力検知部３に隣接する部分には、被作用体２内の空気を圧力検知部３に流通させる、図示しない中空状のチューブがフィルムの幅方向中央部より少しずれた位置に設けられている。
このように被作用体２は、被作用体２上に横たわった対象者による心拍、呼吸、体動等の生体活動によって、被作用体２内の圧力が変化し、圧力検知部３に空気を流通させるようになっている。
【００１３】
圧力検知部３は、圧力センサを備えており、圧力センサが被作用体２から空気を媒体として伝達された圧力の変化を検知するようになっている。
この圧力センサに電圧又は電流を印加することにより、被作用体２内部の圧力変化に応じた出力電圧又は出力電流からなる生体情報（生体信号）が検出されることになる。また、圧力検知部３は、端末装置４と電気的に接続しており、印加電圧等の入力及び端末装置４に対して生体信号の出力を可能としている。
なお、本実施形態における被作用体２及び圧力検知部３は、本発明に係る生体信号検出手段として機能する。
【００１４】
［端末装置］
端末装置４は、本実施形態に係るスマートフォンの他、携帯電話、ＰＤＡ（Ｐｅｒｓｏｎａｌ  Ｄｉｇｉｔａｌ  Ａｓｓｉｓｔａｎｔ）、ｉＰａｄ（登録商標）などのタブレットコンピュータ等の通信端末が該当する。
端末装置４には、図２に示すように、信号伝送部４１が外装され、この信号伝送部４１によって、圧力検知部３から送られてきた生体信号が入力される。この入力された生体信号は、記憶されるとともに、後述する制御部４４（睡眠状態判断手段）において用いられる。
また、端末装置４は、図２に示すように、サーバ装置５と無線通信回線及びインターネットを介して通信処理を行う無線通信部４２と、自己に付された固有の端末識別情報等を記憶する記憶部４３と、ＣＰＵ，ＲＯＭ，ＲＡＭ等を備えコンピュータとして動作する制御部４４と、操作画面やサーバ装置５から配信される情報等を表示する表示部４５とを備え、制御部４４が、これら各部を制御することにより、以下のような特徴的な動作を行う。
なお、詳細な説明は後述するが、制御部４４は、音楽提供手段，睡眠状態判断手段，音楽データ取得手段，数的情報算出手段，睡眠情報記憶手段として動作する。
【００１５】
無線通信部４２は、例えば、Ｗｉ−Ｆｉ規格に対応したモジュールやＩＭＴ−２０００規格に準拠したデジタル携帯電話の通信方式に対応したモジュールであって、図示しないアンテナ、ＣＰＵ、メモリを有する。
制御部４４は、無線通信部４２を、通信手段として動作させることで、無線通信回線（Ｗｉ−Ｆｉ又は３Ｇ回線）と接続を行い、インターネットを介してサーバ装置５（通信部５１）との間で通信を行わせる。
例えば、制御部４４は、サーバ装置５に対して後述する睡眠情報を送信させ、また、サーバ装置５から後述するランキング情報を受信させる。
【００１６】
制御部４４は、記憶部４３を、記憶手段として動作させることで、端末装置４が備える各種機能を実行するためのプログラムやデータを記憶する。
端末装置４に記憶されるデータとしては、例えば、睡眠情報がある。
制御部４４は、記憶部４３を、睡眠情報記憶手段として動作させることで、睡眠情報を記憶する。
睡眠情報は、対象者の睡眠の測定結果とからなる情報であって、対象者が睡眠に移行したときに提供されていた音楽に関する音楽データと、睡眠に関する数的情報を少なくとも含んでいる。
【００１７】
音楽データは、対象者に提供されていた音楽に関するデータであって、制御部４４（音楽データ取得手段）によって取得される。
本実施形態における音楽データは、少なくとも対象者が睡眠に移行したときに提供されていた音楽に関する音楽データを含んでおり、例えば、音楽の曲名，アーティスト名，音楽ジャンル（例えば、クラシック，Ｊ−ＰＯＰ，Ｋ−ＰＯＰ，Ｒ＆Ｂ，ヒーリング，洋楽）等からなっている。
【００１８】
数的情報は、対象者の睡眠に関する情報を数的に示した情報であって、制御部４４（数的情報算出手段）によって算出される。
本実施形態では、対象者が入床してから眠りにつくまでに要した時間（入眠時間）を算出し、これを数的情報として用いる。
【００１９】
端末装置４に記憶される他のデータとしては、端末装置４を一意に特定可能な端末識別情報（端末ＩＤ）がある。
端末識別情報は、例えば、機種番号やシリアル番号等を組み合わせた１５桁のＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）の他、ＭＡＣアドレス、電話番号等がある。
本実施形態において、端末ＩＤは、端末装置４からサーバ装置５に接続する際に送信され、端末装置４を利用する対象者を特定するために用いられる。
【００２０】
端末装置４に記憶されているプログラムとしては、端末装置４上で実行可能な機能に対応したアプリケーションプログラム（以下、アプリという）がある。このアプリは、予め記憶され、又は、ウェブサイトからのダウンロードなどによって取得される。
【００２１】
このようなアプリの一つとして、睡眠アプリが記憶されている。
睡眠アプリは、圧力検知部３から入力された生体信号にもとづいて対象者の睡眠状態を判断する機能と、対象者が睡眠に移行した状態のときに提供されていた音楽データを取得する機能と、睡眠状態に応じた数的情報を算出する機能と、音楽データと数的情報を睡眠情報として記憶する機能を備え、さらには、端末装置４とサーバ装置５との間で双方向通信を行うことで、睡眠情報の送信及び後述するランキング情報の受信を行い、ランキング情報の表示を行う機能を備えている。
その他のアプリとして、音楽再生アプリが記憶されており、音楽再生アプリは、対象者が選択した一又は二以上の音楽を再生する機能を備えている。
【００２２】
表示部４５は、タッチ操作可能なタッチパネルで構成され、制御部４４は、表示部４５に、動画、画像、テキスト、テンキー等を表示させる他、指やタッチペンで画面上の表示に触れることにより入力（例えば、通信操作、文字入力操作、選択操作等）を受け付ける入力手段として動作させる。
制御部４４は、表示部４５を表示手段として動作させることで、睡眠アプリの実行結果を表示させる。例えば、サーバ装置５から配信されたランキング情報を閲覧可能に表示させる。なお、ランキング情報の具体的な表示内容については、後述する。
【００２３】
制御部４４は、自らが音楽提供手段として動作することで、対象者に聴かせるための音楽を提供する。つまり、音楽再生アプリの動作に従って、音楽の提供を開始又は終了させる。
なお、提供する音楽は、端末装置４（記憶部４３）に予め記憶されているもの、インターネットを介して配信されるもの、又は端末装置４と接続された音楽機器から提供されるものでもよい。
【００２４】
制御部４４は、自らが睡眠状態判断手段として動作することで、圧力検知部３から入力される生体信号にもとづいて対象者の睡眠状態を判断する。
判断する睡眠状態としては、例えば、入床（睡眠するために姿勢をとった状態），入眠（睡眠に移行した状態），寝返り，途中覚醒，睡眠深度（レム睡眠，ノンレム睡眠）、起床等の状態を、生体信号の振幅や周期に応じて判断する。
なお、睡眠状態の判断方法は、公知の判断方法を用いることができる。
【００２５】
制御部４４は、自らが音楽データ取得手段として動作することで、制御部４４（睡眠状態判断手段）において判断された睡眠状態のときに、対象者に提供されていた音楽に関する音楽データを取得する。
本実施形態では、対象者が睡眠に移行したときに、対象者に提供されていた音楽に関する音楽データを取得する。
【００２６】
制御部４４は、自らが数的情報算出手段として動作することで、睡眠状態に応じた睡眠に関する数的情報を算出する。
本実施形態では、数的情報として入眠時間を算出する。
具体的には、制御部４４は、所定のタイマを動作させることで、制御部４４（音楽提供手段）において対象者に対して音楽の提供を開始したとき、又は、制御部４４（睡眠状態判断手段）において対象者が睡眠するための姿勢をとったときから計時を開始し、制御部４４（睡眠状態判断手段）において対象者が睡眠に移行した状態と判断されたときまで計時を行う。
このように、対象者が、寝入るまでの経過時間（入眠時間）を数的情報として算出する。
【００２７】
［サーバ装置］
サーバ装置５は、プログラム制御により動作する情報処理装置であり、端末装置４に配信するランキング情報の作成、記憶等を行う。
サーバ装置５は、複数の端末装置４から送信される睡眠情報を記憶し、睡眠情報を集計する動作や、集計した結果を順位付けする動作や、順位付けしたランキング形式の情報を配信する動作を行う。
具体的には、サーバ装置５は、図３に示すように、端末装置４と通信処理を行う通信部５１と、端末装置４に配信するランキング情報などを記憶する記憶部５２と、ＣＰＵ，ＲＯＭ，ＲＡＭ等を備えコンピュータとして動作する制御部５３とを備え、制御部５３が、これら各部を制御することにより、以下のような特徴的な動作を行う。
なお、詳細な説明は後述するが、制御部５３は、数的情報集計手段，数的情報順位付け手段，ランキング情報配信手段，ランキング情報記憶手段として動作する。
【００２８】
制御部５３は、通信部５１を受信手段として動作させることで、インターネットを介して端末装置４と接続し、端末装置４から睡眠情報などを受信する。
また、制御部５３は、通信部５１をランキング情報配信手段として動作させることで、インターネットを介して、閲覧要求のあった端末装置４に対してランキング情報を配信する。
【００２９】
また、制御部５３は、記憶部５２を記憶手段として動作させることで、サーバ装置５が備える各種機能を実行するためのプログラムやデータを記憶する。
サーバ装置５に記憶されるデータとしては、睡眠情報テーブル、ランキング情報テーブル、会員情報テーブル等がある。
【００３０】
睡眠情報テーブルは、複数の端末装置４から受信した睡眠情報が記憶されている。具体的には、送信元の端末装置４の端末ＩＤに、音楽データ（曲名，アーティスト名，音楽ジャンル等）、数的情報（入眠時間）、受信日付等が関連付けされて記憶されている。
【００３１】
ランキング情報テーブルは、端末装置４に配信されるランキング情報が記憶されている。
制御部５３は、記憶部５２をランキング情報記憶手段として動作させることで、ランキング情報をランキング情報テーブルに記憶する。
ランキング情報は、制御部５３（数的情報集計手段）によって睡眠情報テーブルから音楽データごとに数的情報（入眠時間）が集計された結果を、制御部５３（数的情報順位付け手段）によって順位付けされた情報であって、端末装置４において表示可能に加工したものである。
【００３２】
会員情報テーブルは、睡眠アプリの会員登録者に関する情報を含んでおり、会員を一意に特定可能な会員ＩＤに、会員登録時に受け付けた情報（例えば、氏名，年齢，性別，メールアドレス）等が関連付けされている。
会員ＩＤには、例えば、前述した端末装置４を一意に特定可能な端末識別情報（端末ＩＤ）を用いることができる。すなわち、対象者が所持する端末装置４に付された端末ＩＤを対象者の識別情報として利用する。そして、この端末ＩＤ（会員ＩＤ）は、端末装置４から閲覧要求を受けた際の認証キーとして用いられる。
会員登録は、例えば、対象者が端末装置４を用いて睡眠アプリをウェブサイトからダウンロードする際などに、必要項目（氏名，性別，年齢等）を入力することで登録することができる。
また、会員情報テーブルには、被作用体２を購入した対象者の情報についても記憶されている。
【００３３】
サーバ装置５に記憶されているプログラムとしては、端末装置４から睡眠情報及び端末ＩＤを受信する機能と、睡眠情報から音楽データごとに数的情報（入眠時間）を集計する機能と、集計された数的情報を順位付けする機能と、順位付けした結果を示すランキング情報を配信する機能を備えるプログラムが記憶されている。このプログラムは、制御部５３に読み込まれることにより、制御部５３の各構成要素に指令を送り、所定の処理を行わせる。
【００３４】
制御部５３は、自らが数的情報集計手段として動作することで、睡眠情報テーブルから音楽データごとに数的情報（入眠時間）を抽出し、集計する。
例えば、音楽ジャンル、又は、曲名及びアーティストの一方又は双方ごとに入眠時間を抽出して、集計を行う。
このとき、音楽データごとに抽出した結果、同じデータが複数存在する場合には、制御部５３は、これらの入眠時間の平均値（平均入眠時間）を算出する。
例えば、音楽ジャンルと、曲名及びアーティストごとに集計した場合では、例えば、「Ａ曲、バッハ、平均入眠時間１２分」、「Ｂ曲、バッハ、平均入眠時間６分」、「Ｃ曲、モーツァルト、平均入眠時間５分」のように集計される。
ここで、制御部５３（数的情報集計手段）における集計処理は、所定期間が経過したとき（例えば、１日に１回、指定の時刻）に行われるようになっている。すなわち、睡眠情報テーブルに累積して記憶された睡眠情報を一括して処理する。
【００３５】
制御部５３は、自らが数的情報順位付け手段として動作することで、制御部５３（数的情報集計手段）において集計された結果について順位付けを行う。
例えば、制御部５３（数的情報順位付け手段）は、入眠時間の早い順に順位付けをすることで、ランキング形式に加工する。
このようにランキング形式に加工されたランキング情報は、制御部５３によってランキング情報テーブルに記憶される。
【００３６】
ここで、ランキング情報は、対象者別に種々の形式で提供されるようになっている。
例えば、睡眠の測定結果を含む睡眠情報を送信済の対象者に対しては、年齢や性別ごとに細分類して集計されたランキング情報（特定者向けランキング情報）を提供する。
この場合には、制御部５３（数的情報集計手段）は、会員情報テーブルの端末ＩＤと睡眠情報テーブルの端末ＩＤを紐付けし、会員情報テーブルに記憶されている年齢や性別ごと、さらに、睡眠情報テーブルに記憶されている音楽データごとに、入眠時間を抽出し、集計することで、年齢や性別ごとのランキング情報を作成する。
【００３７】
また、睡眠アプリ会員や被作用体２の購入者に対しては、個人別のランキング情報（個人向けランキング情報）を提供する。
この場合には、制御部５３（数的情報集計手段）は、睡眠情報テーブルから対象となる端末ＩＤについて音楽データごとに入眠時間を抽出し、集計する。
このように、対象者別にランキング情報の提供範囲を変えることで、例えば、対象者に対して、睡眠アプリへの会員登録や被作用体２の購入を促すことができる。
このようにして、対象者を特定可能な識別情報が登録されている場合には、ランキング情報のうち、識別情報が登録されていないときと比べて多くのランキング情報を集計・配信することができる。
【００３８】
（睡眠ランキング方法）
次に、以上のような構成からなる本実施形態の睡眠特典付与システムにおける睡眠ランキング方法について、図４〜図６を参照して説明する。
図４は、本実施形態に係る睡眠特典付与システムにおける睡眠ランキング作成処理を示すフローチャートである。
図５は、本実施形態に係る睡眠特典付与システムにおける睡眠ランキング閲覧処理を示すフローチャートである。
図６は、入眠時間に関する睡眠ランキング表示画面の一例を示す図である。
【００３９】
図４を参照して、睡眠ランキング作成処理について説明する。
以下の処理では、対象者が、睡眠しようとするとき、端末装置４から睡眠アプリを起動することで睡眠を測定可能な状態にするとともに、一又は二以上の音楽を選択して、音楽再生アプリを起動した状態において、処理が開始される。
なお、以下の処理においては、制御部４４（音楽提供手段，睡眠状態判断手段，音楽データ取得手段，数的情報算出手段，睡眠情報記憶手段）は、睡眠アプリに従って動作する。
【００４０】
まず、制御部４４（音楽提供手段）において対象者に対して音楽の提供が開始されたとき、又は、制御部４４（睡眠状態判断手段）において対象者が睡眠するための姿勢をとった状態と判断されたときに、制御部４４は、タイマを動作させ、対象者が睡眠に移行するまでの入眠時間の計時を開始する。
【００４１】
そして、制御部４４（睡眠状態判断手段）が、対象者が睡眠に移行した状態と判断すると、制御部４４（数的情報算出手段）は、タイマを停止させ、睡眠するための姿勢をとってから睡眠に移行するまでの経過時間（入眠時間）を算出する。
さらに、制御部４４（音楽データ取得手段）は、睡眠に移行したときに、対象者に提供されていた音楽に関する音楽データを取得する。
【００４２】
このように、対象者が睡眠に移行したときに提供されていた音楽データと、睡眠に移行するまでの入眠時間を収集し、これらを関連付けた睡眠情報が、制御部４４によって記憶部４３に記憶される（Ｓ１０）。
【００４３】
次いで、制御部４４は、対象者から睡眠測定結果の送信操作がされたか否かを判断する（Ｓ１１）。
終了操作がされていない場合には（Ｓ１１：ＮＯ）、睡眠状態の判断及び睡眠情報の記憶を続ける。
一方、終了操作がされた場合には（Ｓ１１：ＹＥＳ）、制御部４４（数的情報送信手段）は、記憶部４３に記憶されている睡眠情報を読み出し、サーバ装置５に対して送信する（Ｓ１２）。また、このとき、睡眠情報とともに、端末装置４に付された端末ＩＤを付加して送信する。
なお、Ｓ１１において、対象者から終了操作がされたか否かを判定し、睡眠情報を送信するようにしていたが、制御部４４（睡眠状態判断手段）が対象者が睡眠に移行したと判断したときに、自動的に送信するようにしてもよい。
【００４４】
サーバ装置５（通信部５１）は、端末装置４から送信された睡眠情報と端末ＩＤを受信する（Ｓ１３）。制御部５３は、受信した睡眠情報と端末ＩＤを関連付けて、睡眠情報テーブルに記憶する。
次いで、制御部５３は、所定の時刻に達するまで、端末装置４から睡眠情報の受信及び記憶を続ける（Ｓ１４：ＮＯ）。
所定の時刻に達した場合（Ｓ１４：ＹＥＳ）、制御部５３（数的情報集計手段）は、睡眠情報テーブルから音楽データごとに数的情報（入眠時間）を抽出し、集計を行う（Ｓ１５）。例えば、睡眠情報テーブルから音楽ジャンルと、曲名及びアーティストごとに抽出し、入眠時間を集計する。
なお、所定の時刻とは、例えば、一日のうちで予め指定された時刻であり、この時刻において、蓄積された睡眠情報を一括して集計処理する。
【００４５】
また、制御部５３（数的情報集計手段）は、音楽データごとに抽出した結果、同じデータが複数存在する場合には、これらの入眠時間の平均値（平均入眠時間）を算出する（Ｓ１６）。
例えば、睡眠情報テーブルから音楽ジャンルと、曲名及びアーティストごとに抽出した場合、「Ａ曲、バッハ、入眠時間２５分」，「Ａ曲、バッハ、入眠時間７分」，「Ａ曲、バッハ、入眠時間１３分」のような、音楽ジャンルと、曲名及びアーティストが、同じデータが複数存在場合には、これらの入眠時間の平均値を算出し、「Ａ曲、バッハ、平均入眠時間１５分」のように集計する。
次いで、制御部５３（数的情報順位付け手段）は、平均入眠時間の少ない順に順位付けをする（Ｓ１７）。そして、制御部５３は、順位付けした結果を示すランキング情報を、ランキング情報テーブルに記憶する（Ｓ１８）。
【００４６】
このように、対象者の睡眠を測定し、取得した睡眠情報（音楽データ及び数的情報）にもとづいて、サーバ装置５においてランキング情報が作成される。
次に、ランキング情報の閲覧処理について説明する。
【００４７】
図５を参照して、睡眠ランキング閲覧処理について説明する。
まず、端末装置４の制御部４４は、対象者から入眠時間に関するランキングの閲覧要求がされたか否かを判定する（Ｓ２０）。
判定の結果、要求があった場合には（Ｓ２０：ＹＥＳ）、制御部４４は、図示しない入力画面を表示部４５に表示させ、対象者が閲覧したい細分類項目（例えば、年齢や性別）などを受け付ける（Ｓ２１）。
そして、制御部４４は、無線通信部４２を介して、端末装置４の端末ＩＤと入力された情報を関連付けてサーバ装置５に送信する（Ｓ２２）。
【００４８】
サーバ装置５（通信部５１）は、端末装置４から送信された端末ＩＤと入力情報を受信する（Ｓ２３）。
次いで、サーバ装置５の制御部５３は、閲覧要求のあった端末装置４から、既に睡眠情報が受付されているか否かを判断する（Ｓ２４）。
具体的には、制御部５３は、端末装置４から送信された端末ＩＤが、睡眠状態テーブルに記憶されているか否かを照合し、この端末装置４を利用する対象者から睡眠情報が既に送信されたかの認証処理を行う。
認証の結果、睡眠情報が受付されている場合には、制御部５３は、閲覧要求のあった端末装置４に対して「特定者用ランキング情報」を配信する（Ｓ２５）。
一方、認証の結果、睡眠情報が受付されていない場合には、制御部５３は、閲覧要求のあった端末装置４に対して「一般者用ランキング情報」を配信する（Ｓ２５）。
【００４９】
端末装置４は、これらのランキング情報を受信する（Ｓ２６）。また、このとき、例えば、図６（ａ）に示すような、音楽ジャンルを選択可能な画面が表示部４５に表示される。これにより、音楽ジャンルを選択してジャンル別にランキング表示させることができる。
制御部４４は、選択された音楽ジャンルと、ランキング情報にもとづいて表示部４５に入眠時間に関するランキングを表示させる（Ｓ２７）。
【００５０】
ここで、「一般者用ランキング情報」とは、ランキング情報のうち一部を含む情報であって、図６（ｂ）に示すように、睡眠情報テーブル全体に対するランキングとなり、例えば、年齢や性別ごとに細分類されたランキング情報は含まれないようになっている。
一方、「特定者用ランキング情報」とは、ランキング情報のうち一部又は全部を含む情報であって、睡眠情報テーブル全体に対するランキングの他に、図６（ｃ）に示すように、年齢や性別ごとに細分類されたランキング情報を含んでいる。すなわち、「一般者用ランキング情報」では閲覧できない情報を含んでいる。
【００５１】
さらに、端末装置４から送信された端末ＩＤが、会員情報テーブルに記憶されている場合には、制御部５３は、閲覧要求のあった端末装置４に対して「個人用ランキング情報」を配信する。
「個人用ランキング情報」は、図６（ｄ）に示すように、対象者別のランキング情報であり、睡眠アプリの会員登録者や、被作用体２の購入者に対して閲覧できるようになっている。すなわち、対象者は、自分が何の音楽で眠りについたのか、何の音楽が眠りに入り易いか又眠りにつき難いかを認識することができる。
【００５２】
以上説明したように、本発明の第一実施形態に係る睡眠特典付与システム、睡眠特典付与サーバ装置及び睡眠特典付与プログラムによれば、対象者が睡眠に移行したときに提供されていた音楽にもとづいて、対象者が睡眠に移行するまでの入眠時間をランキング形式で提供することができる。
これによって、対象者は、睡眠するときに、何の音楽や、何の音楽ジャンルを聴くことによって寝付きが良いかを把握することができる。
また、閲覧要求のあった端末装置４ごとに、配信するランキング情報を変えることで、対象者に対してアプリの会員登録、被作用体２の購入、睡眠測定結果の送信等を促進することができる。
【００５３】
［第一実施形態の変形例］
次に、本発明の第一実施形態に係る変形例について説明する。
【００５４】
本変形例は、第一実施形態の図１〜図３と同様の構成であるが、対象者の睡眠に関する数的情報に「入眠時間」の代わりに「睡眠の質」を用いる点が第一実施形態と相違する。すなわち、第一実施形態では、対象者の入眠時間に関してランキング表示を行ったが、本変形例においては、対象者の睡眠の質に関してランキング表示を行うようになっている。
したがって、第一実施形態と同様の構成には、第一実施形態で用いた符号と同一の符号を付して説明を省略する。
【００５５】
睡眠の質とは、睡眠によって脳や体がどれほど休むことができているか、つまり、睡眠の良し悪しを示す指標である。
具体的には、睡眠の質は、対象者が睡眠に移行した後に覚醒状態があった回数を示す「途中覚醒回数」、対象者が睡眠に移行するまでの経過時間を示す「寝付き時間」、対象者が睡眠に移行後の所定時間内の深い睡眠状態の時間を示す「深睡眠時間」、「寝返り回数」、対象者が睡眠姿勢をとっている時間に対して睡眠中の時間の割合を示す「睡眠効率」、の要素のうち、少なくとも一以上の組み合わせからなる。
【００５６】
このような睡眠の質の各要素の算出方法は、公知の算出方法を用いることができるが、例えば、以下のような方法で算出できる。
「途中覚醒回数」は、制御部４４（睡眠状態判断手段）において睡眠に移行したと判断された後に、制御部４４（睡眠状態判断手段）において途中覚醒と判断され、覚醒状態が所定時間（例えば、１０分）継続した場合に＋１カウントして算出する。
「寝付き時間」は、対象者が、睡眠するための姿勢をとってから睡眠に移行するまでの時間を算出する。すなわち、上記した入眠時間を示す。
「深睡眠時間」は、制御部４４（睡眠状態判断手段）において睡眠に移行したと判断された後の所定時間（例えば、三時間）内で、制御部４４（睡眠状態判断手段）において所定の深い睡眠（ノンレム睡眠）と判断された時間を算出する。
「寝返り回数」は、制御部４４（睡眠状態判断手段）において寝返りと判断された場合に＋１カウントして算出する。
「睡眠効率」は、制御部４４（睡眠状態判断手段）において睡眠するための姿勢をとった状態と判断された時刻から、起床と判断された時刻までの就寝時間に対する、制御部４４（睡眠状態判断手段）において睡眠に移行したと判断された時刻から、起床と判断された時刻までの睡眠時間の割合を算出する。
【００５７】
このように算出された各要素は、制御部４４（数的情報算出手段）によってそれぞれが所定の基準値と比較されることで点数付けがされる。
具体的には、「途中覚醒回数」が、途中覚醒がある場合（回数が１以上）に減点する。「寝付き時間（入眠時間）」が、例えば、１０分以内であれば加点し、３０分以上であれば減点する。「深睡眠時間」が、例えば、５０分以下であれば減点し、６６〜７５分であれば加点する。「寝返り回数」が、例えば、２０〜３０回を超えた場合又は少ない場合に減点する。
そして、このように要素ごとに付けた点数を合計し、合計値に「睡眠効率」を積算することで、睡眠の質の程度を示す睡眠点数を算出する。
【００５８】
次に、本変形例における睡眠ランキング方法について、図７〜図９を参照して説明する。
図７は、本変形例における睡眠ランキング作成処理を示すフローチャートである。
図８は、本変形例における睡眠ランキング閲覧処理を示すフローチャートである。
図９は、睡眠の質に関する睡眠ランキング表示画面の一例を示す図である。
【００５９】
図７を参照して、睡眠ランキング作成処理について説明する。
本変形例における睡眠ランキング作成処理は、対象者の睡眠状態を判断して、上述したように対象者の睡眠の質を算出する。そして、睡眠の質と睡眠に移行したときに対象者に提供されていた音楽に関する音楽データを睡眠情報としてサーバ装置５に送信し、サーバ装置５において音楽データごとの睡眠の質に関するランキング情報が作成される。
すなわち、第一実施形態の睡眠ランキング作成処理と比較して、睡眠の質を算出して睡眠情報とする点以外は、同様の動作を行う。したがって、詳細な説明は省略する。
【００６０】
制御部４４（睡眠状態判断手段）は、例えば、対象者が寝る姿勢をとってから起床するまでの一回（一晩）の睡眠における対象者の睡眠状態を判断する。
これにより、制御部４４（睡眠状態判断手段）によって判断された睡眠状態にもとづいて、制御部４４（数的情報算出手段）は、上記のように要素を算出するとともに、睡眠の質を点数化（睡眠点数）して算出する。
また、制御部４４（睡眠状態判断手段）によって対象者が睡眠に移行したと判断された場合には、制御部４４（音楽データ取得手段）は、睡眠に移行したときに対象者に提供されていた音楽に関する音楽データを取得する。
【００６１】
このように、本変形例では、数的情報として入眠時間に代えて睡眠の質を算出し、この睡眠の質と対象者が睡眠に移行したときに提供されていた音楽データを関連付けて、睡眠情報として端末装置４（記憶部４３）に記憶する（Ｓ４０）。
端末装置４の記憶部４３に記憶された睡眠情報は、所定の送信操作（又は自動送信）により（Ｓ４１）、端末ＩＤとともにサーバ装置５に送信され（Ｓ４２）、サーバ装置５側で受信・記憶され（Ｓ４３）、所定の時刻に達したタイミングで（Ｓ４４）、データの集計処理が行われる（Ｓ４５）。なお、図７に示すＳ４１〜Ｓ４４の内容は、上述した図４に示したＳ１１〜Ｓ１４と同様である。
【００６２】
サーバ装置５の制御部５３（数的情報集計手段）は、端末装置４から受信した睡眠情報が記憶された睡眠情報テーブルから音楽データごとに数的情報（睡眠の質）を抽出し、集計を行う（Ｓ４５）。
例えば、音楽ジャンルと、曲名及びアーティストごとに抽出した場合、「Ａ曲、バッハ、睡眠点数８５点」、「Ｂ曲、バッハ、睡眠点数６０点」、「Ｃ曲、モーツァルト、睡眠点数８７点」のように集計される。さらに、制御部５３（数的情報集計手段）は、睡眠の質の平均値（平均睡眠点数）を算出する（Ｓ４６）。
次いで、制御部５３（数的情報順位付け手段）は、平均睡眠点数の高い順に順位付けを行い（Ｓ４７）、順位付けした結果を示すランキング情報を、ランキング情報テーブルに記憶する（Ｓ４８）。
このように、対象者の睡眠の質に関するランキング情報が作成される。
【００６３】
次に、図８を参照して、睡眠ランキング閲覧処理について説明する。
本変形例における睡眠ランキング閲覧処理は、対象者からの閲覧要求に応じて、睡眠の質に関するランキング情報を読み出し、閲覧要求のあった端末装置４に対して睡眠の質に関するランキング情報を配信する。
すなわち、第一実施形態の睡眠ランキング閲覧処理と比較して、睡眠の質に関するランキング情報を配信し、表示する点以外は、同様の動作を行う。したがって、詳細な説明は省略する。
【００６４】
まず、端末装置４は、対象者から睡眠の質に関するランキングの閲覧要求がされたか否かを判定し（Ｓ５０）、閲覧要求があった場合には（Ｓ５０：ＹＥＳ）、制御部４４は、対象者の年齢や性別等の入力情報を受け付け（Ｓ５１）、無線通信部４２を介して、端末装置４の端末ＩＤと入力された情報を関連付けてサーバ装置５に送信する（Ｓ５２）。サーバ装置５は、端末装置４から送信された端末ＩＤと入力情報を受信し（Ｓ２３）、制御部５３が、閲覧要求のあった端末装置４から既に睡眠情報が受付されているか否かを判断する（Ｓ５４）。なお、これら図８に示すＳ５１〜Ｓ５４の内容は、上述した図５に示したＳ２１〜Ｓ２４と同様である。
具体的には、対象者から睡眠の質に関するランキングの閲覧要求がされると（Ｓ５０）、サーバ装置５の制御部５３は、閲覧要求のあった端末装置４を利用する対象者から睡眠情報が既に送信されたかの認証処理を行う（Ｓ５４）。
Ｓ５４の認証の結果に応じて、ランキング情報テーブルに記憶されている、ランキング情報（「一般者用ランキング情報」、「特定者用ランキング情報」、「個人用ランキング情報」）を端末装置４に配信する（Ｓ５５）。
そして、端末装置４は、サーバ装置５から睡眠の質に関するランキング情報を受信し（Ｓ５６）、制御部４４は、図９に示すように、ランキング情報にもとづき表示部４５に睡眠の質に関するランキングを表示させる（Ｓ５７）。
このように、閲覧要求のあった対象者に対して睡眠の質に関するランキングが表示される。
【００６５】
以上説明したように、本発明の第一実施形態に係る変形例によれば、第一実施形態とほぼ同様の効果を奏するとともに、対象者が睡眠に移行したときに提供されていた音楽にもとづいて、対象者の睡眠の質をランキング形式で提供することができる。
これによって、対象者は、睡眠に入ったときに提供されていた音楽によって、一回（一晩）の睡眠における睡眠の良し悪しを把握することができる。
また、睡眠に移行した後も、音楽が停止されずに再生されている場合には、寝ている間に再生された音楽によっても睡眠の質が変化する場合がある。すなわち、対象者が睡眠しようとするときに選択した二以上の音楽からなる音楽リスト別においても、睡眠の良し悪しを把握することができる。
【００６６】
［第二実施形態］
次に、本発明の第二実施形態について図１０及び図１１を参照して説明する。
図１０は、本発明の第二実施形態に係る睡眠特典付与システムにおける特典付与処理を示すフローチャートである。
図１１は、本発明の第二実施形態に係る睡眠特典付与システムにおける特典付与処理の他の例を示すフローチャートである。
【００６７】
本実施形態は、第一実施形態と比較して、睡眠に関する数的情報（入眠時間又は睡眠の質）に応じて所定の特典を付与する点で相違する。
そのため、本実施形態では、サーバ装置５の制御部５３が、数的情報に応じて所定の特典情報を生成し、対象者に所定の特典を付与する特典付与手段と、特典付与手段によって生成された特典情報を対象者に知らせる特典報知手段として動作するようになっている。
なお、本実施形態において、第一実施形態と同様の構成部分については、同一の符号を付して、その詳細な説明を省略する。
【００６８】
制御部５３は、自らが特典付与手段として動作することで、数的情報に応じて特典情報を生成し、対象者に所定の特典を付与する。
ここで、所定の特典とは、本実施形態では電子価値データとしてある。
電子価値データは、具体的には電子ポイント、電子マネー、電子音楽データ、待ち受け画面データなど、所定の有価価値を電子的に記録したものである。電子価値データは、電子ポイントや電子マネーを使用・充当する形で、様々な物品やサービス、電子データ等について、購入・交換することができる。
本実施形態では、電子価値データを「ポイント」の形で対象者に対して生成・付与するようにしてある。
【００６９】
具体的には、数的情報が入眠時間の場合、例えば、入眠時間が１０分未満の場合は、１０ポイントを付与し、入眠時間が１０分〜２０分未満までの場合は、５ポイントを付与する。
また、数的情報が睡眠の質の場合、例えば、睡眠点数が、９０点以上の場合には、１０ポイントを付与し、睡眠点数が、８０〜９０点の場合には、５ポイントを付与する。
なお、基準値やポイント数は、予め、記憶部に設定されているものとし、任意に変更することができる。
【００７０】
このように、睡眠に関する数的情報（入眠時間や睡眠の質）を所定の基準値と比較することで、良い睡眠と判断された場合には、特典を付与する。
特典とは、対象者にとって利益となる情報や物品、権利等であれば良く、例えば、音楽再生アプリで再生可能な音楽データ、端末装置４の待ち受け画面や着信音、現実の賞品や、賞品を獲得可能となる権利などが該当する。
なお、制御部５３（特典付与手段）によって付与されたポイント数は、特典情報として記憶部５２に記憶される。
【００７１】
制御部５３は、自らが特典報知手段として動作することで、制御部５３（特典付与手段）において付与された特典の内容を、特典情報を送信することにより対象者に知らせる。
制御部５３（特典報知手段）が、付与された特典の内容を対象者に知らせるタイミングとしては、制御部５３（特典付与手段）において特典が付与されたときに、端末装置４に対して知らせる。
また、上記のタイミングとは別に、対象者が睡眠に移行したと推測できる時刻から所定時間前に端末装置４に対して知らせる。
具体的には、制御部４４（睡眠状態判断手段）において対象者が睡眠に移行したと判断された時刻（睡眠開始時刻）を取得し、この睡眠開始時刻から所定時間前に端末装置４に対して知らせる。すなわち、対象者が寝入る時間を推測し、この時間より少し早い時刻に報知する。
このように対象者が睡眠しようとする前に報知することで、睡眠の測定を喚起させることができる。
また、この場合、特典の内容を対象者に対して知らせる手段として、電子メールを用いる。これによって、対象者に確実に知らせることができる。
【００７２】
また、本実施形態においてサーバ装置５に記憶されているプログラムとしては、端末装置４から数的情報及び端末ＩＤを受信する機能と、数的情報に応じて対象者に所定の特典を付与する機能を備えるプログラムが記憶されている。このプログラムは、制御部５３に読み込まれることにより、制御部５３の各構成要素に指令を送り、所定の処理を行わせる。
【００７３】
（睡眠特典付与方法）
次に、以上のような構成からなる本実施形態の睡眠特典付与システムにおける睡眠特典付与方法について、図１０及び図１１を参照して説明する。
以下の処理においては、対象者が、睡眠しようとするとき、端末装置４から睡眠アプリを起動することで睡眠が測定可能な状態において、処理が開始される。
まず、第一実施形態と同様に、制御部４４（睡眠状態判断手段）が生体信号にもとづいて対象者の睡眠状態を判断し、制御部４４（数的情報算出手段）が対象者の睡眠状態に応じた数的情報を算出する。
なお、本実施形態では、数的情報として、入眠時間と睡眠の質の少なくともいずれか一つが算出されて、用いられるものとする。以下の説明では、睡眠の質を用いた場合で説明する。
【００７４】
まず、制御部４４は、対象者から睡眠測定結果の送信操作がされたか否かを判断する（Ｓ７０）。
終了操作がされていない場合には（Ｓ７０：ＮＯ）、睡眠状態の判断及び睡眠の質の算出を続ける。
一方、終了操作がされた場合には（Ｓ７０：ＹＥＳ）、制御部４４は、睡眠の質（睡眠点数）と端末装置４に付された端末ＩＤをサーバ装置５に対して送信する（Ｓ７１）。
サーバ装置５（通信部５１）は、端末装置４から送信された睡眠の質（睡眠点数）と端末ＩＤを受信する（Ｓ７２）
【００７５】
次いで、制御部５３（特典付与手段）は、睡眠点数に応じて対象者に所定の特典を付与する（Ｓ７３）。具体的には、睡眠点数を、所定の基準値と比較し、基準値に達している場合には所定の特典を生成し、付与する。
付与された特典（ポイント数）は、特典情報として記憶部５２に記憶され（Ｓ７４）、制御部５３によって、端末装置４に対して特典情報が送信される（Ｓ７５）。
端末装置４は、特典情報を受信し（Ｓ７６）、特典の内容を表示部４５において表示する（Ｓ７７）。
このように、対象者の睡眠の測定結果である数的情報（睡眠の質）に応じて特典が付与されることで、対象者は良い睡眠をして特典を得ようとするため、睡眠アプリを使用して測定結果の送信を促すことができる。
【００７６】
次に、図１１を参照して、本実施形態に係る特典付与処理の他の例について説明する。
図１１では、特典の内容を対象者に知らせるタイミングを、睡眠開始時刻から所定時間前にする場合について示している。
なお、以下の処理においては、数的情報は睡眠の質が用いられている場合で説明する。
【００７７】
まず、図１１（ａ）に示すように、図１０の特典付与処理で説明したＳ７０（終了操作判定）〜Ｓ７４（特典情報の記憶）が行われ、付与された特典情報がサーバ装置５（記憶部５２）に記憶される。
次いで、特典の内容を対象者に知らせるために、図１１（ｂ）に示す処理が行われる。
サーバ装置５の制御部５３は、現在時刻を取得し（Ｓ８０）、現在時刻が、睡眠開始時刻から所定時間前の時刻に達したか否かを判定する（Ｓ８１）。
睡眠開始時刻から所定時間前の時刻に達した場合には（Ｓ８１：ＹＥＳ）、制御部５３（特典報知手段）は、端末装置４のメールアドレスに、電子メールで特典の内容を送信する（Ｓ８２）。
端末装置４（通信部４１）は、サーバ装置５から特典の内容を電子メールで受信し（Ｓ８３）、この特典の内容を表示部４５において表示する（Ｓ８４）。このとき、例えば、「昨日の睡眠によるポイントは、１０ポイントでした。今日も測定の時間になりました。」のように、睡眠の測定を促す表示がされる。これにより、対象者に対して睡眠の測定を喚起させることができる。
【００７８】
以上説明したように、本発明の第二実施形態に係る睡眠特典付与システム、睡眠特典付与サーバ装置及び睡眠特典付与プログラムによれば、睡眠に関する数的情報（入眠時間又は睡眠の質）に応じて特典が付与される。
これによって、対象者は、良い睡眠をして特典を得ようとするため、対象者に対し睡眠の測定を促すことができる。
また、付与された特典の内容の報知を、対象者が寝ようとする時間より少し早い時刻にすることで、対象者に対して睡眠の測定を喚起させることができる。
【００７９】
以上、本発明の睡眠特典付与システム、睡眠特典付与サーバ装置及び睡眠特典付与プログラムの好ましい実施形態について説明したが、本発明は上述した実施形態にのみ限定されるものではなく、本発明の範囲で種々の変更実施が可能であることはいうまでもない。
【００８０】
例えば、上述した実施形態では、被作用体２及び圧力検知部３によって生体信号を検出するようにしているが、これに限らず、被作用体２と圧力検知部３の代わりに、加速度センサを備えた端末装置４を用いることもできる。
この場合には、例えば、寝具上に端末装置４を配置し、対象者の体動を加速度センサが、３軸方向で重力加速度を計測することで、対象者の生体信号を検出することができる。このような構成にすることにより、端末装置４のみで対象者の生体信号を検出し、睡眠状態を取得することができる。
【００８１】
また、図１２に示すように、睡眠ランキング表示画面において、音楽データ（曲名やアーティスト）に対応したアフェリエイト広告を表示させることもできる。
アフェリエイト広告は、企業の音楽サイト等へリンクされており、対象者がこのリンクを経由して音楽サイト等に接続し、会員登録や商品（曲やグッツ等）を購入すると、リンクを張った睡眠アプリ提供側に広告料が支払われる仕組みの広告である。
すなわち、この広告によって販売を促進する効果があるため、広告に対応した音楽データがランキング上位にあり、対象者から閲覧されるほど、この広告が選択される可能性があることになる。
これにより、サーバ装置５（制御部５３）では、数的情報（入眠時間や睡眠の質）が、例えば、ランキング上位（１位〜３位）に入っている場合には、この数的情報を算出し、送信した対象者に対して広告料にもとづいて所定の特典を付与することができる。その結果、対象者に、睡眠アプリを使用して測定結果の送信を促すことができる。
【００８２】
また、上述の実施形態においては、対象者の睡眠状態を判断する睡眠状態判断手段は、端末装置４の制御部４４で動作するように説明したが、これに限らず、サーバ装置５の制御部５３において動作させてもよい。
また、上述の実施形態においては、数的情報として、入眠時間又は睡眠の質を算出し用いるように説明したが、これに限らず、入眠時間又は睡眠の質を兼用してもよい。兼用することによって、入眠時間に関するランキングと、睡眠の質に関するランキング表示を両方提供することができる。
また、上述の実施形態においては、対象者が睡眠に移行したときに提供されていた音楽にもとづいて、対象者の入眠時間や睡眠の質をランキング形式で提供したが、これに限らず、睡眠中（寝返り状態、中途覚醒状態）に提供されていた音楽にもとづいてランキングを作成してもよい。
【産業上の利用可能性】
【００８３】
本発明は、対象者の睡眠状態にもとづく睡眠に関わる情報に応じて所定の特典を付与するシステム又は装置等に好適に利用可能である。
【符号の説明】
【００８４】
１      睡眠特典付与システム
２      被作用体
３      圧力検知部
４      端末装置
５      サーバ装置
【図１】
2014052834.tif 000003
【図２】
2014052834.tif 000004
【図３】
2014052834.tif 000005
【図４】
2014052834.tif 000006
【図５】
2014052834.tif 000007
【図６】
2014052834.tif 000008
【図７】
2014052834.tif 000009
【図８】
2014052834.tif 000010
【図９】
2014052834.tif 000011
【図１０】
2014052834.tif 000012
【図１１】
2014052834.tif 000013
【図１２】
2014052834.tif 000014